(57)【要約】【課題】バッテリからバックアップ用コンデンサに流れる充電電流が過大になることを防止することができるカメラ用電源装置を提供することにある。【解決手段】カメラの負荷に電流を供給するための電源回路と、前記電源回路にバッテリ電源を供給するバッテリと、前記電源回路のためのバックアップ電源を蓄積するためのバックアップ用コンデンサとを有するカメラ用電源装置において、前記バッテリから前記バックアップ用コンデンサへの充電電流を制限するための充電電流制限手段と、前記バックアップ用コンデンサから前記電源回路へバックアップ電源の供給するためのバックアップ電源供給手段と、を備え、前記バックアップ電源供給手段は、前記カメラの負荷が大きいときに、前記バックアップ用コンデンサより前記電源回路にバックアップ電流を供給するように構成されている。【選択図】  図１
2004266948.tif 000002
【特許請求の範囲】
【請求項１】
カメラの負荷に電流を供給するための電源回路と、前記電源回路にバッテリ電源を供給するバッテリと、前記バッテリからの充電電流によって前記電源回路のためのバックアップ電源を蓄積するためのバックアップ用コンデンサとを有するカメラ用電源装置において、
前記バッテリから前記バックアップ用コンデンサへの充電電流を制限するための充電電流制限手段と、前記バックアップ用コンデンサから前記電源回路へバックアップ電源の供給するためのバックアップ電源供給手段と、を備え、前記バックアップ電源供給手段は、前記カメラの負荷が大きいときに、前記バックアップ用コンデンサより前記電源回路にバックアップ電流を供給するように構成されていることを特徴とするカメラ用電源装置。
【請求項２】
請求項１記載のカメラ用電源装置において、更に、前記バックアップ電源供給手段を制御するためのマイクロコンピュータを備え、前記マイクロコンピュータは前記カメラの負荷が大きいときに、前記バックアップ電源供給手段を制御して、前記バックアップ用コンデンサより前記電源回路にバックアップ電流を供給するように構成されていることを特徴とするカメラ用電源装置。
【請求項３】
請求項１記載のカメラ用電源装置において、前記バックアップ電源供給手段は、電界効果トランジスタを含むスイッチであることを特徴とするカメラ用電源装置。
【請求項４】
請求項１記載のカメラ用電源装置において、前記充電電流制限手段は抵抗であることを特徴とするカメラ用電源装置。
【発明の詳細な説明】
【０００１】
【発明の属する技術分野】
本発明はカメラ用電源装置に関し、特に、バッテリとバックアップ用電源を供えたカメラ用電源装置に関する。
【０００２】
【従来の技術】
図２を参照して従来のカメラ用電源装置の例を説明する。このカメラ用電源装置は、カメラの負荷１０に電源を供給する電源回路１２と、電源回路１２にバッテリ電源を供給するバッテリ１４と、電源回路１２にバックアップ電源を供給するバックアップ用コンデンサ１６と、を有する。
【０００３】
カメラの負荷１０は、ズーム、ストロボ充電、画像処理等のカメラにて消費される全ての負荷を含む。電源回路１２は直流電圧を直流電圧に変換するＤＣ／ＤＣコンバータ回路である。バッテリ１４は直流電源である。
【０００４】
バックアップ用コンデンサ１６は、電源回路１２の入力側に設けられ、カメラの負荷１０に流れる負荷電流が大きいときに、電源回路１２にバックアップ電流を供給する。バックアップ用コンデンサ１６は電源回路１２にバックアップ電流を供給するために十分な容量（０．１Ｆ）を有する。
【０００５】
先ず、カメラ撮影の待機状態の動作について説明する。カメラ撮影の待機状態では、カメラの負荷１０には、一定の負荷電流Ｉａ（０．７Ａ）が流れる。バッテリ１４からバッテリ電流Ｉｂ（０．７Ａ）が放出され、電源回路１２によって、負荷１０に適合した電圧に変換され、カメラの負荷１０によって消費される。バッテリ１４からバックアップ用コンデンサ１６に、充電電流Ｉｔ（０．１Ａ）が流れ、バックアップ用コンデンサ１６の電圧がバッテリ１４の電圧と同一になるまで充電動作を行う。
【０００６】
次に、負荷１０を流れる負荷電流が大きくなった場合の動作を説明する。ズーム、ストロボ充電、画像処理等の負荷が大きい回路が動作すると、カメラの負荷１０にはピーク電流Ｉａｐ（２．５Ａ）が流れる。このとき、バックアップ用コンデンサ１６から電源回路１２にバックアップ電流Ｉｃ（１．８Ａ）が流れる。それによって、電源回路１２には、バッテリ１４からのバッテリ電流Ｉｂ（０．７Ａ）とバックアップ用コンデンサ１６からのバックアップ電流Ｉｃ（１．８Ａ）の合計（２．５Ａ）の電流が供給される。従って、負荷１０にピーク電流Ｉａｐ（２．５Ａ）が流れても、バッテリ１４からの放電電流は一定（０．７Ａ）に保持される。
【０００７】
上述の従来の電源装置では、バッテリ１４からバックアップ用コンデンサ１６へ流れる充電電流Ｉｔは制限されていない。従って、バッテリ１４からバックアップ用コンデンサ１６へ、突入電流（３．５Ａ）が流れると、バッテリ１４からの放電電流は、通常のバッテリ電流Ｉｂ（０．７Ａ）と突入電流（３．５Ａ）の和（４．２Ａ）となる。即ち、バッテリ１４から定格電流（１Ａ／Ｈ）を超えた過大電流が放出される。
【０００８】
特開平４−１３３６３１号公報には、電源バックアップ用コンデンサを定電流で充電する定電流充電手段と、コンデンサが所定電圧まで充電されたとき、定電流充電手段の充電動作を禁止する充電禁止手段とを設けて、コンデンサの充電時間を短縮することができるようにする電源装置が記載されている。
【０００９】
【特許文献１】
特開平４−１３３６３１号公報
【００１０】
【発明が解決しようとする課題】
従来の技術では、バッテリ１４からバックアップ用コンデンサ１６へ流れる充電電流Ｉｔは制限されていないため、バッテリ１４から過大な放電電流が流れることがあった。それによって、以下の問題が生じた。
（１）バッテリの内部抵抗による電圧低下が発生し、電源回路の動作の不安定化又は電圧変換効率の悪化が生じる。
（２）バッテリの放電性能の劣化、動作機能の停止、バッテリ特性の劣化、環境温度によるバッテリ容量の減少、バッテリ動作寿命の短命化を招くことになる。
（４）バッテリサイズを大型化しなければならない。
【００１１】
本発明の目的は、バッテリからバックアップ用コンデンサに流れる充電電流が過大になることを防止することができるカメラ用電源装置を提供することにある。
【００１２】
本発明の目的は、バッテリからの放電電流を一定に保持し、且つ、カメラの負荷に十分な電流を供給することができるカメラ用電源装置を提供することにある。
【００１３】
【課題を解決するための手段】
本発明によると、カメラの負荷に電流を供給するための電源回路と、前記電源回路にバッテリ電源を供給するバッテリと、前記バッテリからの充電電流によって前記電源回路のためのバックアップ電源を蓄積するためのバックアップ用コンデンサとを有するカメラ用電源装置において、
前記バッテリから前記バックアップ用コンデンサへの充電電流を制限するための充電電流制限手段と、前記バックアップ用コンデンサから前記電源回路へバックアップ電源の供給するためのバックアップ電源供給手段と、を備え、前記バックアップ電源供給手段は、前記カメラの負荷が大きいときに、前記バックアップ用コンデンサより前記電源回路にバックアップ電流を供給するように構成されている。
【００１４】
更に、前記バックアップ電源供給手段を制御するためのマイクロコンピュータを備え、前記マイクロコンピュータは前記カメラの負荷が大きいときに、前記バックアップ電源供給手段を制御して、前記バックアップ用コンデンサより前記電源回路にバックアップ電流を供給するように構成されている。
【００１５】
【発明の実施の形態】
図１を参照して本発明のカメラ用電源装置の例を説明する。本例のカメラ用電源装置は、カメラの負荷１０に電源を供給する電源回路１２と、電源回路１２にバッテリ電源を供給するバッテリ１４と、電源回路１２にバックアップ電源を供給するバックアップ用コンデンサ１６と、バッテリ１４とバックアップ用コンデンサ１６の間に設けられた充電電流制限抵抗２２と、電源回路１２とバックアップ用コンデンサ１６の間に設けられたバックアップ電源供給スイッチ２４と、バックアップ電源供給スイッチ２４を制御するためのマイクロコンピュータ２６と、を有する。
【００１６】
カメラの負荷１０は、ズーム、ストロボ充電、画像処理等のカメラにて消費される全ての負荷を含む。電源回路１２は直流電圧を直流電圧に変換するＤＣ／ＤＣコンバータ回路である。
【００１７】
バッテリ１４は直流電源である。バッテリ１４からの放電電流Ｉｂは定格電流（１Ａ／Ｈ）以内に収まることが望ましい。バッテリ１４からの放電電流Ｉｂが小さいほど、内部抵抗による電圧低下、放電性能の劣化、環境温度による電池容量の減少、等のバッテリ性能の低下の要因が回避される。
【００１８】
バックアップ用コンデンサ１６は、電源回路１２の入力側に設けられ、カメラの負荷１０に流れる負荷電流が大きいときに、電源回路１２にバックアップ電流を供給する。バックアップ用コンデンサ１６は電源回路１２にバックアップ電流を供給するために十分な容量（０．１Ｆ）を有する。
【００１９】
充電電流制限抵抗２２はバッテリ１４からバックアップ用コンデンサ１６に流れる過大な充電電流を制限する機能を有し、例えば、電界効果トランジスタより構成されてよい。バックアップ電源供給スイッチ２４はマイクロコンピュータ２６からの命令信号によって、オンオフ動作を行う。マイクロコンピュータ２６は、カメラの負荷１０に流れる負荷電流を検出する機能を有し、カメラの負荷１０に流れる負荷電流が所定の値より大きくなると、バックアップ電源供給スイッチ２４をオンにし、カメラ撮影の待機状態では、バックアップ電源供給スイッチ２４をオフにする。
【００２０】
先ず、カメラ撮影の待機状態の動作について説明する。カメラ撮影の待機状態では、カメラの負荷１０には、一定の負荷電流（０．７Ａ）が流れる。バッテリ１４からバッテリ電流Ｉｂ（０．７Ａ）が放出され、電源回路１２によって、負荷１０に適合した電圧に変換され、カメラの負荷１０によって消費される。バッテリ１４からの充電電流Ｉｔ（０．１Ａ）は、抵抗２２を経由してバックアップ用コンデンサ１６に流れ、バックアップ用コンデンサ１６の電圧がバッテリ１４の電圧と同一になるまで充電動作を行う。カメラ撮影の待機状態では、バックアップ電源供給スイッチ２４はオフである。
【００２１】
次に、負荷１０を流れる負荷電流が大きくなった場合の動作を説明する。ズーム、ストロボ充電、画像処理等の負荷が大きい回路が動作すると、カメラの負荷１０には、ピーク電流Ｉａｐ（２．５Ａ）が流れる。マイクロコンピュータ２６は負荷１０を流れる負荷電流が所定の値より大きくなると、バックアップ電源供給スイッチ２４をオンにする。それによってバックアップ用コンデンサ１６に蓄えられた電荷（０．１Ｆ）が放出され、バックアップ電源として負荷１０に供給される。バックアップ用コンデンサ１６に蓄えられた電荷（０．１Ｆ）は、負荷１０に供給するバックアップ電源として十分な容量である。
【００２２】
例えば、負荷１０にピーク電流Ｉａｐ（２．５Ａ）が流れると、バックアップ用コンデンサ１６から電源回路１２にバックアップ電流（１．８Ａ）が流れる。それによって、電源回路１２には、バッテリ１４からのバッテリ電流Ｉｂ（０．７Ａ）とバックアップ用コンデンサ１６からのバックアップ電流Ｉｃ（１．８Ａ）の合計（２．５Ａ）の電流が供給される。従って、カメラの負荷１０にピーク電流Ｉａｐ（２．５Ａ）が流れても、バッテリ１４から放電電流は一定（０．７Ａ）に保持される。
【００２３】
再び、カメラ撮影の待機状態になり、負荷１０を流れる負荷電流が所定の値より小さくなると、マイクロコンピュータ２６は、バックアップ電源供給スイッチ２４をオフにする。バッテリ１４からの充電電流Ｉｔ（０．１Ａ）は、抵抗２２を経由してバックアップ用コンデンサ１６に流れ、バックアップ用コンデンサ１６の充電動作を行う。
【００２４】
以上のように、本例によると、バックアップ用コンデンサ１６の充電動作時には、抵抗２２によってバッテリからの充電電流が過大になることが防止され、バックアップ用コンデンサ１６の放電動作時には、マイクロコンピュータ２６によってバックアップ電源供給スイッチ２４を制御することにより、負荷に十分な電流を供給することができる。
【００２５】
以上、本発明の例を説明したが、本発明は上述の例に限定されるものではなく、特許請求の範囲に記載された発明の範囲にて様々な変更が可能であることは当業者に理解されよう。また、上述の説明にて、括弧内に記載した数字は、説明のための単なる例であり、他の数値も可能である。
【００２６】
【発明の効果】
本発明によると、バッテリからバックアップ用コンデンサに流れる充電電流が過大になることを防止することができる効果がある。
【００２７】
本発明によると、バッテリからの過大な放電電流を制限することができるため、バッテリ特性の劣化を防止し、バッテリサイズの小型化とバッテリの長期間の使用を可能にする効果がある。
【００２８】
本発明によると、カメラの撮影時には、カメラの負荷に十分な電流を供給することができる効果がある。
本発明によると、カメラの負荷にピーク電流が流れても、バッテリからの放電電流は一定に保持される効果がある。
【図面の簡単な説明】
【図１】本発明によるカメラ用電源装置の構成例を示す図である。
【図２】従来のカメラ用電源装置の構成例を示す図である。
【符号の説明】
１０…負荷、１２…電源回路、１４…バッテリ、１６…バックアップ用コンデンサ、２２…充電電流制限抵抗、２４…バックアップ電源供給スイッチ、２６…マイクロコンピュータ、Ｉｂ…バッテリ電流、Ｉｃ…バックアップ用コンデンサから放電電流、Ｉｔ…バックアップ用コンデンサ１６に流れる充電電流、Ｉａ…負荷に流れる電流
【図１】
2004266948.tif 000003
【図２】
2004266948.tif 000004